(57)【要約】【課題】  本考案は、使用者が自由に手書きなどによる書き込みをすることができるインデックス付きクリアファイルを新規に提供することを課題としている。【解決手段】  本考案は、プラスチック等の書き込み不能なシートにて形成される１乃至複数個のポケットを有すクリアファイルにおいて、各ポケットの前または後シートの開放側垂縁に書き込み可能な大小のスペースを加工形成し、該スペースにポケットのインデックスを書き込み形成するようにし、また各ポケットの開放側垂縁に設けるポケット閉じ止め用の掛止片を書き込み可能にしてインデックスを書き込み形成するようにして課題を解決する。【選択図】図１
0003177548.tif 000002
【実用新案登録請求の範囲】
【請求項１】
プラスチック等の書き込み不能なシートにて形成される１乃至複数個のポケットを有すクリアファイルにおいて、各ポケットの前または後シートの開放側垂縁に書き込み可能とする大小のスペースを加工形成し、該スペースにポケットのインデックスを書き込み形成するようにしたことを特徴とするインデックス付きクリアファイル。
【請求項２】
書き込み形成する各インデックスは上下にずらし、または外方に段差張り出しして、すべてのインデックスを表出させる請求項１に記載のインデックス付きクリアファイル。
【請求項３】
各ポケットの開放側垂縁に設けるポケット閉じ止め用の掛止片を書き込み可能にして、インデックスを書き込み形成する請求項１または２に記載のインデックス付きクリアファイル。
【考案の詳細な説明】
【技術分野】
【０００１】
この考案はインデックス付きクリアファイルについてのものである。
【背景技術】
【０００２】
従来クリアファイルは平滑な薄板状のプラスチックシートにてなるため、手書きを含む書き込みが一切できないので、特開２００６-１１０８６２号公報はクリアファイルの開放側垂縁より外側に張り出すようにして手書き可能な見出し（インデックス）を貼着し形成することを記載し提案している。
【特許文献１】特開２００６−１１０８６２号公報
【考案の開示】
【考案が解決しようとする課題】
【０００３】
しかしながら、クリアファイルにインデックスを貼り付けることはインデックス材，糊などを要して手間がかかるという課題がある。
ポケットを２乃至３個とするクリアファイルにおいては各ポケットに見出しを貼り付けることで嵩ばってポケットが開いたままになって挟み入れする書類等が抜け出すという課題がある。
【課題を解決するための手段】
【０００４】
本考案は、プラスチック等の書き込み不能なシートにて形成される１乃至複数個のポケットを有すクリアファイルにおいて、各ポケットの開放側垂縁に書き込み可能な大小のスペースを加工形成し、該スペースにポケットのインデックスを手書きを含んで書き込み形成するようにして、かかる課題を解決するようにしたのである。
【考案の効果】
【０００５】
本考案はプラスチック等の書き込み不能のクリアファイルのポケットに手書きを含む書き込みインデックスを設けるようにしたので、クリアファイルの使用者は手書きのインデックスにて書類等を区分けしてポケットに挟み入れすることができるという効果を生ずる。
【０００６】
特にポケットを２乃至複数個形成するクリアファイルにおいて各ポケットに各別のインデックスを書き込み形成することができることで、挟み入れする書類等の区分け整理が至極容易になるという効果を生ずる。
【０００７】
書き込みインデックスを上下にずらし、または外側に段差出しすることで、すべてのインデックスを表出して見やすくすることができるという効果を生ずる。
【０００８】
クリアファイルのインデックスは書き直しができることで重宝するという効果を生ずる。
【０００９】
インデックスはクリアファイルの各シートと一体のため嵩ばることがなく、従って掛止片による閉じ止めがなくとも書類等の不意の抜け出しが防止されるという効果を生ずる。
【図面の簡単な説明】
【００１０】
【図１】第１実施例を示すもので、 （ａ）は表面シートと中間シートを半展開した状態にて示す斜視図、（ｂ）は同、各シートを接面閉じした状態にて示す斜視図
【図２】同、スペース部分のみを段差を置いて張り出した例で、（ａ）は半展開の状態、（ｂ）は閉じた状態の各斜視図
【図３】第２実施例で、中間シートと背面シートの開放側垂縁を表面シートより順に段差を置いて外側に張り出し形成したクリアファイルの斜視図、
【図４】第３実施例で、（ａ）は１つのポケットを有す掛止片付きクリアファイルの展開斜視図、（ｂ）は同、閉じた状態の斜視図、（ｃ）は３個のポケットを設けた例を示す斜視図
【考案を実施するための形態】
【００１１】
本考案は、書き込みができないシート製のクリアファイルにおいて、開放側垂縁にシルクスクリーン塗装，ニス塗装などの加工により書き込みを可能とする大小のスペースを設け、該スペースにインデックスを書き込み形成して、ポケットのインデックスとする。
【実施例１】
【００１２】
図１乃至図２は本考案の第１実施例であって、表面シート１と２枚の中間シート２，３および背面シート４の都合４枚合わせのクリアファイル５を形成し、表面シート１と中間シート２間に第１ポケットＡ、中間シート２，３間に第２ポケットＢ、中間シート３と背面シート４間にて第３ポケットＣを有せしめる。
【００１３】
このクリアファイル５はポケットＡ，Ｂ，Ｃのそれぞれ後のシートの開放側垂縁６に加工により書き込み可能とする同一大きさのスペース７を上下にずらして設け、それぞれのスペース７にポケットＡ，Ｂ，Ｃのインデックス８を手書きを含んで書き込み形成する。
インデックス８となる書き込み可能なスペース７はシルクスクリーン膜，ニス膜、その他書き込み可能な膜をシート上に加工形成することによって得られる。
【００１４】
上下にずらす要領としては、表面シート１を最長とし、中間シート３を最短とする縦帯形の切欠９を設けて各切欠９から書き込みインデックス８が表出して見えるようにする。または図２に示すようにインデックス８となるスペース７部分のみを順に段差を置いて外側に張り出させることもある。
【００１５】
かくてポケットＡ，Ｂ，Ｃのすべてのインデックス８が表出して書類等を素早く出し入れすることができることとなる。
【００１６】
インデックス８を自由に書き込みできることで使用者のそれぞれに都合の良いインデックス８を形成し得、印刷されたインデックスに較べて使い勝手が格段に向上することとなる。また鉛筆，消去可能なボールペンにて書き込みするときは、書き直しによってクリアファイル５を何度も使い勝手に修正することができることとなる。
なお、図１（ｂ）、図２（ｂ）に示すように各ポケットＡ，Ｂ，Ｃの中央上部に書き込み可能な加工をしたスペース７ａを設けてインデックス８を手書き形成することもできる。
【実施例２】
【００１７】
図３は第２実施例であって、クリアファイル５は中間シート２，３と背面シート４の開放側垂縁６を表面シート１より順に段差を置いて外側に張り出し形成して、各インデックス８を見やすくしたものである。その他の構成と作用は第１実施例と同じである。
【実施例３】
【００１８】
図４は第３実施例であって、図４（ａ）（ｂ）はポケットＡを閉じ止めするために背面シート４に設ける掛止片１０の表面を加工して書き込み可能なスペース７にしてインデックス８を書き込み形成するようにしたのである。背面シート４に設けた掛止片１０が表面シート１に掛け止まるように背面シート４の開放側垂縁６は表面シート１より３ｍｍ外側に張り出している。図４（ｃ）はポケットＡ，Ｂ，Ｃを設けた例で、中間シート２，３と背面シート４にそれぞれ掛止片１０を上下にずらして設け、中間シート２，３および背面シート４の開放側垂縁６を表面シート１から３ｍｍづつ順に外側に張り出すようにしている。その他の構成と作用は第２実施例と同じである。
【産業上の利用可能性】
【００１９】
本考案は、クリアファイルに使用者が自由に書き込みすることのできるインデックスを形成することで広く利用されるものである。
【符号の説明】
【００２０】
１は表面シート
２，３は中間シート
４は背面シート
５はクリアファイル
６は開放側垂縁
７,７aは書き込み可能なスペース
８はインデックス
９は縦帯形の切欠
１０は掛止片
Ａは第１ポケット
Ｂは第２ポケット
Ｃは第３ポケット
【図１】
0003177548.tif 000003
【図２】
0003177548.tif 000004
【図３】
0003177548.tif 000005
【図４】
0003177548.tif 000006